(57)【要約】【課題】計量キャップを傾けながらポイントを定めて注ぎ口から内容液を注ぎ出し易くすると共に、本体キャップとの螺合部分に内溶液が付着しないようにする計量キャップを提供する。【解決手段】容器本体１２の口首部１１に取り付けられた液回収用凹部２０を有する本体キャップ１３に、先端の注ぎ口１４を下方に向けて着脱可能に装着され、計量筒部１５と、計量筒部１５の外周途中部分から張出し端部１６ａを注ぎ口１４側に配置し、計量筒部１５の外側に設けられたスカート状液受部１６とを有する計量キャップ１０であって、スカート状液受部１６の外周面１６ｂに雄ネジ１７が形成されており、雄ネジ１７を本体キャップ１３の雌ネジ壁１８に形成された雌ネジ１９に螺合することにより、スカート状液受部１６が内嵌合で本体キャップ１３に装着される。【選択図】図１
2007276810.tif 000002
【特許請求の範囲】
【請求項１】
容器本体の口首部に取り付けられた液回収用凹部を有する本体キャップに、先端の注ぎ口を下方に向けて着脱可能に装着され、計量筒部と、該計量筒部の外周途中部分から張出し端部を注ぎ口側に配置し、計量用筒部の外側に設けられたスカート状液受部とを有する計量キャップであって、
前記スカート状液受部の外周面に雄ネジが形成されており、該雄ネジを前記本体キャップの雌ネジ壁に形成された雌ネジに螺合することにより、前記スカート状液受部が内嵌合で前記本体キャップに装着される計量キャップ。
【請求項２】
前記計量筒部と前記スカート状液受部との境部分から前記注ぎ口端部までの高さが、前記スカート状液受部の高さの１．５倍以上となっている請求項１記載の計量キャップ。
【請求項３】
前記計量筒部が、計量キャップ装着時に前記本体キャップの液回収用凹部に挿入配置される液戻し筒部と、該液戻し筒部と連接して前記液回収用凹部の上方に配置される、前記注ぎ口の内径よりも大きな内径を備える液溜め膨出部とからなる請求項１又は２に記載の計量キャップ。
【発明の詳細な説明】
【技術分野】
【０００１】
本発明は、計量キャップに関し、特に容器本体の口首部に取り付けられた液回収用凹部を有する本体キャップに着脱可能に装着される計量キャップに関する。
【背景技術】
【０００２】
内容液として例えば液体洗剤等を収容する容器は、これらの内容液を計量しつつ使用される場合があり、計量用のカップ等を別途に用いることが煩わしいことから、キャップとして内容液を計量する機能を備えた計量キャップを、例えば合成樹脂製のボトル容器等の口首部に装着したものが知られている。計量キャップは、目盛り等を備えていて、内容液の種類や使用量に応じて適量を容易に計量することができるようになっている。また計量した内容液を注ぎ出した後に、再び計量キャップを口首部に装着する際に、計量キャップに付着して余った液を回収できるようにようにするために、計量キャップの注ぎ口を上方から挿入可能な液回収用の凹部を有する本体キャップを口首部に取り付け、この液回収用の凹部に注ぎ口を挿入させつつ計量キャップを本体キャップに装着するようにしたものが知られている（例えば、特許文献１参照）。
【０００３】
また、特許文献１に記載の容器では、計量キャップは、計量筒部の外周部分にスカート状液受部を有しており、計量キャップを傾けて計量した内容液を注ぎ出す際や、傾けた状態を戻して注ぎ出すのを止めた際に、注ぎ口の外側に液だれする内容液をスカート状液受部で受止めて、計量キャップの周囲が汚れるのを効果的に回避できるようになっている（例えば、特許文献１参照）。
【特許文献１】特開２０００−１２８２０７号公報
【発明の開示】
【発明が解決しようとする課題】
【０００４】
特許文献１に記載の計量キャップでは、スカート状液受部の内側面に雌ネジが形成されており、この雌ネジを、本体キャップの雄ネジ壁に形成された雄ネジに螺合することにより、スカート状液受部が外嵌合で本体キャップに装着され、スカート状液受部で受止められた内容液を、計量筒部内に余った内容液と共に液回収用の凹部を介して容器本体に戻すことができるようになっているが、計量された内溶液を注ぎ出す際には、スカート状液受部が却って邪魔になる場合がある。すなわち、例えば近年の自動洗濯機の普及により、計量した液体洗剤等の内容液を小さな液投入口に注ぎ出す操作が必要になる場合があり、このような小さな液投入口に向けて、計量キャップを傾けながらポイントを定めて内容液を投入しようとすると、計量筒部の外周部分から大きく張り出したスカート状液受部が邪魔になって、特定の箇所に正確に注ぎ出すことが難しくなりやすい。
【０００５】
また、スカート状液受部の内側面に形成された雌ネジには、スカート状液受部で受止められた内溶液が直接触れて付着することになり、計量キャップが本体キャップに装着されると、雌ネジに付着した内容液が雄ネジ壁との間に挟まれて保持されることになる。このため、保持された内溶液が固化して、計量キャップを着脱する際に粉落ち等を生じたり、計量キャップが取り外された際に手や指が触れやすい雄ネジ壁の外周面に内容液が付着することになって、当該外周面に触れた手や指を汚すおそれがある。これらのことから、計量キャップのさらなる改良が望まれている。
【０００６】
本発明は、計量キャップを傾けながらポイントを定めて注ぎ口から内容液を注ぎ出し易くすることができると共に、スカート状液受部と本体キャップとの螺合部分に内溶液が付着しないようにすることのできる計量キャップを提供することを目的とする。
【課題を解決するための手段】
【０００７】
本発明は、容器本体の口首部に取り付けられた液回収用凹部を有する本体キャップに、先端の注ぎ口を下方に向けて着脱可能に装着され、計量筒部と、該計量筒部の外周途中部分から張出し端部を注ぎ口側に配置し、計量用筒部の外側に設けられたスカート状液受部とを有する計量キャップであって、前記スカート状液受部の外周面に雄ネジが形成されており、該雄ネジを前記本体キャップの雌ネジ壁に形成された雌ネジに螺合することにより、前記スカート状液受部が内嵌合で前記本体キャップに装着される計量キャップを提供することにより、上記目的を達成したものである。
【発明の効果】
【０００８】
本発明の計量キャップによれば、当該計量キャップを傾けながらポイントを定めて注ぎ口から内容液を注ぎ出し易くすることができると共に、スカート状液受部と本体キャップとの螺合部分に内溶液が付着しないようにすることができる。
【発明を実施するための最良の形態】
【０００９】
図１に示す本発明の好ましい実施形態に係る計量キャップ１０は、例えば内容液として液体洗剤や柔軟剤、糊剤等を収容する合成樹脂製のボトル容器の容器本体１２の口首部１１に、本体キャップ１３を介して着脱可能に装着されると共に、外周面又は内周面に目盛り等が描かれていて、適量の内容液を計量して洗濯機等に投入することのできる機能を備えている。本実施形態によれば、ボトル容器を構成する容器本体１２の上端部から突出して設けられた口首部１１に取り付けられた本体キャップ１３は、液回収用凹部２０を有し、計量キャップ１０は、この本体キャップ１３に螺合装着されて、当該本体キャップ１３を介して口首部１１に着脱可能に装着される。
【００１０】
そして、本実施形態の計量キャップ１０は、容器本体１２の口首部１１に取り付けられた液回収用凹部２０を有する本体キャップ１３に、先端の注ぎ口１４を下方に向けて着脱可能に装着され、計量筒部１５と、計量筒部１５の外周部分の途中から全周にわたって張出し、張出した端部１６ａを注ぎ口１４側に配置して設けられたスカート状液受部１６とを有するキャップである。スカート状液受部１６は、計量筒部の外側に概ね二重に設けられた筒状であって、スカート状液受部１６の外周面１６ｂに雄ネジ１７が形成されており、この雄ネジ１７を本体キャップ１３の雌ネジ壁１８に形成された雌ネジ１９に螺合することにより、スカート状液受部１６が内嵌合で本体キャップ１３に装着される。
【００１１】
また、本実施形態では、計量筒部１５は、装着時に本体キャップ１３の液回収用凹部２０に挿入配置され注ぎ口１４を供える液戻し筒部２１と、液戻し筒部２１と連設して（又は連続して）液回収用凹部２０の上方に配置される液溜め膨出部２２とによって構成される。尚、液戻し筒部２１と液溜め膨出部２２とは一体成形も可能であるが、後述する上下に分割した下方部材２３と上方部材２４とを環状接合部３２を介して接合一体化して構成することもできる。上下の部材２３、２４を接合一体化する場合には、液溜め膨出部２２の内径D３を注ぎ口１４の内径Ｄ２よりも大きく構成することができる。
【００１２】
図１に示す本実施形態では、計量キャップ１０は、上下に分割した下方部材２３と上方部材２４とを射出成形により形成し、環状接合部３２を介してこれらを接合一体化することによって構成している。
【００１３】
本実施形態では、口首部１１に取り付けられる本体キャップ１３は、計量キャップ１０を螺合装着させる部分の構造を除いて、例えば特開２００１−１３９０４９号公報に記載される本体キャップと略同様の構成を有する、例えば射出成形によって形成された合成樹脂製の公知のものであり、注ぎ口１４を下方に向けた状態の計量キャップ１０の液戻し筒部２１を、上方から挿入配置させることのできる大きさの液回収用凹部２０を内側に有している。
【００１４】
また、本体キャップ１３は、ボトル容器の口首部１１を覆って装着されるスカート壁部２５と、スカート壁部２５の天井部２５ａから上方に突出して設けられ、内周面に雌ネジ１９が形成された雌ネジ壁１８と、スカート壁部２５の天井部２５ａの内周縁部から容器本体１２の口首部１１の内周面に沿うようにして下方に延設されると共に、斜めに傾斜する底面板２６を有する椀状の受け皿部２７と、この受け皿部２７の中央部分から上方に突出して設けられ、液回収用凹部２０に液戻し筒部２１を挿入配置した計量キャップ１０の装着時に、注ぎ口１４を経て計量キャップ１０の内側に配置される注出ノズル２８とからなる。
【００１５】
スカート壁部２５は、その下端部内周面に係合用凹凸部２５ｂを有しており、本体キャップ１３をボトル容器の口首部１１に押し込んで、この係合用凹凸部２５ｂを容器本体１２の口首部１１の基端部外周面に形成した被係合用凹凸部１１ａに係止することにより、本体キャップ１３が容器本体１２の口首部１１に装着固定される。雌ネジ壁１８は、スカート壁部２５の天井部２５ａを挟んで当該スカート壁部２５の外周面に沿った外周面を備えるように設けられ、内周面の雌ネジ１９には、計量キャップ１０のスカート状液受部１６の外周面１６ｂに形成された雄ネジ１７が螺合される。また雌ネジ壁１８は、受け皿部２７と共にその内側に液回収用凹部２０を形成する。
【００１６】
受け皿部２７は、ボトル容器の口首部１１の内側に挿入配置される椀状部分であって、これの斜めに傾斜する底面板２６には、その最も低い部分に液戻し開口２９が形成されている。そして計量キャップ１０を再装着した際に、計量キャップ１０から液回収用凹部２０に回収された余剰液等を、この液戻し開口２９を介して容器本体１２の内部に戻すことができるようになっている。また、受け皿部２７の底面板２６の周縁部分から離れた中央部分には、当該底面板２６から雌ネジ壁１８の上方まで突出させて注出ノズル２８が設けられている。注出ノズル２８は、その基端部において底面板２６に開口形成した流出開口３０と連通しており、計量キャップ１０の注ぎ口１４よりも断面形状が小さくなった先端注出口３１を介して、計量キャップ１０に内容液をスムーズに注出することができるようになっている。
【００１７】
本実施形態では、本体キャップ１３に着脱可能に装着される計量キャップ１０は、上述のように、例えば透明な合成樹脂を射出成形して形成される下方部材２３と上方部材２４との２部材で構成されている。下方部材２３及び上方部材２４は、いずれも、射出成形時に金型を容易に抜くことができるように設計された形状を有している。下方部材２３及び上方部材２４は、成形後に環状接合部３２を介して接合一体化することによって、装着時に本体キャップ１３の液回収用凹部２０に挿入配置される液戻し筒部２１と、液戻し筒部２１と連設して本体キャップ１３の上方に配置される液溜め膨出部２２とを備える計量キャップ１０を形成することになる。
【００１８】
下方部材２３は、内径が注ぎ口１４の内径D２から液溜め膨出部２２に向けて徐々に大きくなった、中空の略切頭円錐形状部分である液戻し筒部２１と、この液戻し筒部２１の基端部から円筒形状に延設する密着接合筒部３３とを有している。下方部材２３には、外周面又は内周面に、計量用の目盛りが適宜描かれている。
【００１９】
密着接合筒部３３は、上方部材２４による液溜め膨出部２２における周壁の開口側略半分部分の高さ領域の内周面に沿って嵌め込まれるようにして密着嵌合され、当該内周面と共に強固な環状接合部３２を形成する。また、液戻し筒部２１と密着接合筒部３３との境目部分の外周面には、周方向に連続する環状リブ３４が、外側に突出して設けられている。さらに、本実施形態では、液戻し筒部２１の注ぎ口１４の開口周縁部分は、外側に折り返すように湾曲するラッパ口形状を備えている。注ぎ口１４の開口周縁部分がラッパ口形状となっていることにより、計量キャップ１０から内容液を注ぎ出した後の開口周縁部分における液切れが確実かつ容易に行われることになり、これによって内容液の回り込みをさらに効果的に回避することが可能になる。また、汚れなどの付着した部分に内容液を集中的に塗布する作業が容易になる。
【００２０】
上方部材２４は、略有底円筒形状を備える液溜め膨出部２２と、液溜め膨出部１６の開口側端部に段差接続部３５を介して連接する、内径が液溜め膨出部２２の内径D３よりも僅かに大きくなった円筒形状のスカート状液受部１６とからなる。
【００２１】
液溜め膨出部２２は、これの内周面に沿って下方部材２３の密着接合筒部３３が、環状リブ３４を当該液溜め膨出部２２の開口端面に当接させるまで嵌め込まれることにより、液戻し筒部２１と連接して当該液戻し筒部２１と共に計量筒部１５を形成する。また液溜め膨出部２２は、主として計量される内溶液を貯留する部分であって、その内径Ｄ３が、液戻し筒部２１の注ぎ口１４の内径Ｄ２及び容器本体１２の口首部１１の内径Ｄ１よりも大きくなっており、且つ上方から見て本体キャップ１３のスカート壁部２５及び雌ネジ壁１８によって囲まれる領域内に納まる大きさの外径となるように形成されている。
【００２２】
スカート状液受部１６は、上方部材２４が下方部材２３に接合一体化された際に、液戻し筒部２１の基端側から略半分の高さ部分の外側に間隔をおいて同心状に配置され、液戻し筒部２１の外周面との間に円環状に連続する液受凹部３６を形成する。またスカート状液受部１６は、その外側面に、本体キャップ１３の雌ネジ壁１８に螺合する雄ネジ１７が形成されており、且つ雌ネジ壁１８と同様の例えば５．０〜２０mm程度の高さＨ３で設けられている。
【００２３】
なお、本実施形態では、スカート状液受部１６の張出し端部１６ａを本体キャップ１３のスカート壁部２５の天井部２５ａに当接させると共に、雌ネジ壁部１８の上端を計量キャップ１０の段差接続部３５の外側張出し部分に当接させるまでスカート状液受部１６を雌ネジ壁１８に螺合した際に、注ぎ口１４の開口周縁部分が本体キャップ１３の受け皿部２７の下部内周面に形成された当接段差部３７と密着当接する高さＨ２を備えるように、液戻し筒部２１が形成されている。これによって、収容された内容液が、液戻し筒部２１の外側の液回収用凹部２０との間の隙間に回り込むのを防止するシール機能を、効果的に発揮するようになっている。
【００２４】
ここで、計量筒部１５の液戻し筒部２１による、スカート状液受部１６の接合部分である段差接続部３５から注ぎ口１４までの高さ（計量筒部１５とスカート状液受部１６との境部分から注ぎ口１４端部までの高さ）Ｈ２は、スカート状液受部１６の高さＨ３の１．５倍以上となっていることが好ましい。スカート状液受部１６の接合部分から注ぎ口１４の下端部までの高さＨ２が、スカート状液受部の高さＨ３の１．５倍以上となっていることにより、スカート状液受部１６の下端部と注ぎ口１４の下端部の端部間距離を液ダレした液を回収するのに十分広く設計することが可能となり、また、自動洗濯機などの投入口への注ぎ性が向上される。即ち、スカート状液受部１６の下端部と注ぎ口１４の下端部との間が狭い場合には、液の粘性又は表面張力等によって両方の端部の間に液が保持されて、スカート状液受部１６に液が回収されにくくなるが、前述のようにスカート状液受け部１６の端部と注ぎ口１４の端部までの距離を設けることによって、注ぎ口１４から液ダレした液を液戻し筒部２１の外周面に沿って液受凹部３６に流れやすくしながら、スカート状液戻し部１６の周方向への張出しを少なくして自動洗濯機などの投入口への注ぎ性を良好にすることができる。
【００２５】
そして、上述の構成を備える本実施形の計量キャップ１０によれば、計量キャップ１０を傾けながらポイントを定めて注ぎ口１４から内容液を注ぎ出し易くすることができると共に、スカート状液受部１６と本体キャップ１３との螺合部分に内溶液が付着しないようにすることができる。
【００２６】
本実施形態によれば、スカート状液受部１６の外周面１６ｂに雄ネジ１７が形成されており、この雄ネジ１７を本体キャップ１３の雌ネジ壁１８に形成された雌ネジ１９に螺合することにより、スカート状液受部１６が内嵌合で本体キャップ１３に装着される。スカート状液受部１６の内周側に本体キャップ１３の環状壁（ネジ壁等）が挿入配置されないので、スカート状液受け部１６の内周面と計量筒部１５の外周面との間の距離を短いものとすることができる。従って、従来の如くのスカート状液受部の内周面に形成した雌ネジを本体キャップの雄ネジ壁に外嵌合で螺合する場合と比較して、スカート状液受部１６の張り出し量を少なくすることが可能になり、これによって、計量キャップ１０を傾けながら液投入口等に内容液を注ぎ出す際に、注ぎ口１４を注ぎ出すべきポイントにより近づけることを可能にして、注ぎ出し易さを向上させることができる。
【００２７】
また、本体キャップ１３との螺合部分である雄ネジ１７が、スカート状液受部１６の外周面１６ｂに形成されているので、スカート状液受部１６によって受止められた内容液が雄ネジ１７に付着することがなく、これによって、螺合部分に保持された内容液が固化して粉落ち等を生じるのを確実に回避できると共に、液だれした内容液を、本体キャップ１３に設けられた雌ネジ壁１８の外周面に付着させることがないので、当該外周面に触れた手や指を汚すおそれがない。
【００２８】
さらに、本実施形態では、計量筒部１５を、装着時に本体キャップ１３の液回収用凹部２０に挿入配置される液戻し筒部２１と、液戻し筒部２１と連接して液回収用凹部２１の上方に配置される、注ぎ口１４の内径Ｄ２よりも大きな内径Ｄ３を備える液溜め膨出部２２とで形成した場合には、計量筒部１５の口首部１１からの突出長さを過度に大きくすることなく、且つ口首部１１や本体キャップ１３を横断方向に拡径することなく液溜め部分の容量を増大して、計量キャップ１０によって計量可能な容量を容易に増やすことが可能になる。
【００２９】
本実施形態では、注ぎ口１４の外側に液ダレ等して、液戻し筒部２１の外周面とスカート状液受部１６との間の液受凹部３６に回収された内容液は、計量キャップ１０を本体キャップ１３に嵌合すると、内容液の表面張力又は粘度等によってスカート壁部２５の天井部２５ａの上面に保持されて、液だまりする場合がある。そこで、図２に示すようにスカート壁部２５の天井部２５ａの上面において内方から（好ましくは液回収用凹部２０の上端から）スカート状液受部１６の内周面に向かって斜め上方に立ち上がる、弾性部材からなる薄いヘラ状のかきとりベラ３８を環状に設けることが好ましい。かきとりベラ３８は、計量キャップ１０を本体キャップ１３に嵌合した際に、先端部分がスカート状液受部１６の内周面に摺接してスカート状液受部１６の内周面に付着した内容液をかきとる。このかきとられた内容液は、かきとりベラ３８の上面側の斜面３８ａから容易に液回収用凹部２０に流れやすくなる。また計量キャップ１０を本体キャップ１３に螺合させていくと、計量キャップ１０のスカート状液受部１６の内周面にかきとりベラ３８が接触して適度なクリック感が得られるため、螺合の最後の感覚を感じ取ることができる。
【００３０】
なお、本発明は上記実施形態に限定されることなく種々の変更が可能である。例えば、計量筒部は、本体キャップの液回収用凹部に挿入配置される液戻し筒部と、液戻し筒部と連接して液回収用凹部の上方に配置される液溜め膨出部とからなるものである必要は必ずしもなく、液溜め膨出部を備えていない、有底円筒形状の計量筒部であっても良い。また、容器本体に収容されて計量される内容液は、液体洗剤、柔軟剤、糊剤等の他、計量を必要とするその他の種々の液体製品であっても良い。さらにまた、計量キャップは、射出成形によって形成した下方部材と上方部材とを環状接合部を介して接合一体化したものである必要は必ずしもなく、環状接合部は、例えば下方部材の上端部に上方部材をネジ嵌合するものであっても良い。
【図面の簡単な説明】
【００３１】
【図１】本発明の好ましい一実施形態に係る計量キャップの構成を説明する、容器本体の口首部への装着状態の断面図である。
【図２】本発明の好ましい一実施形態に係る計量キャップのスカート壁部の天井部おける他の好ましい態様を説明する図１のＡ部拡大図である。
【符号の説明】
【００３２】
１０  液体計量キャップ
１１  口首部
１２  容器本体
１３  本体キャップ
１４  注ぎ口
１５  計量筒部
１６  スカート状液受部
１６ａ  スカート状液受部の張出し端部
１６ｂ  スカート状液受部の外周面
１７  雄ネジ
１８  雌ネジ壁
１９  雌ネジ
２０  液回収用凹部
２１  液戻し筒部
２２  液溜め膨出部
２３  下方部材
２４  上方部材
３２  環状接合部
３３  密着接合筒部
３４  環状リブ
３５  段差接続部
３６  液受凹部
３８  かきとりベラ
Ｄ１  口首部の内径
Ｄ２  注ぎ口の内径
Ｄ３  液溜め膨出部の内径
Ｈ１  液溜め膨出部の高さ
Ｈ２  スカート状液受部の高さ
Ｈ３  計量筒部とスカート状液受部との境部分から注ぎ口端部までの高さ
【図１】
2007276810.tif 000003
【図２】
2007276810.tif 000004